(57)【要約】【課題】信号やデータが常時出力されることにより生じるノイズを低減することができる電子機器を提供する。【解決手段】車載機器１００は、ＣＤ又はＤＶＤに記録されたデータ（即ち、TBCK信号、TSD0信号及びTWS信号）を読み込み、出力する再生部１３５と、再生部１３５から出力されるデータ（即ち、TBCK信号、TSD0信号及びTWS信号）を受信し、受信されたデータに基づいて各種の制御を実行する制御部１４０と、ＣＤ又はＤＶＤが再生部１３５に挿入されるまで、ＣＤ又はＤＶＤに記録されたデータの制御部１４０への送信を遮断する遮断部１８０とを備えている。【選択図】図６
2009252332.tif 000002
【特許請求の範囲】
【請求項１】
記録媒体に記録されたデータを読み込み、出力するデータ読込手段と、
前記データ読込手段から出力されるデータを受信し、受信されたデータに基づいて各種の制御を実行する制御手段と、
前記記録媒体が前記データ読込手段に挿入されるまで、前記記録媒体に記録されたデータの前記制御手段への送信を遮断する遮断手段と
を備えることを特徴とする電子機器。
【請求項２】
前記データ読込手段はデータ及び信号を出力するコネクタを備え、
前記遮断手段及び前記制御手段は同一基板上に設けられており、前記遮断手段は、前記コネクタに近接する、前記基板の端部に配置されていることを特徴とする請求項１記載の電子機器。
【請求項３】
前記遮断手段は、前記記録媒体が前記データ読込手段に挿入されたことを示す信号の入力により前記記録媒体に記録されたデータの前記制御手段への送信を開始するスイッチング回路又はＡＮＤ回路で構成されていることを特徴とする請求項１又は２に記載の電子機器。
【請求項４】
前記電子機器は、車載用オーディオ装置であることを特徴とする請求項１乃至３のいずれか１項に記載の電子機器。
【発明の詳細な説明】
【技術分野】
【０００１】
本発明は、電子機器に関する。
【背景技術】
【０００２】
従来より、ＤＶＤメディアから地図情報等を読み出すＤＶＤドライブ、ＦＭ電波の受信部、及び装置全体を制御する制御部を備えるナビゲーション装置が開示されている（例えば、特許文献１参照）。ＤＶＤドライブ及びＦＭ電波の受信部は制御部に接続されている。
【特許文献１】特開２００１−１４１４９９号公報
【発明の開示】
【発明が解決しようとする課題】
【０００３】
上記ナビゲーション装置では、ＤＶＤドライブが使用されているか否かによらず、ビットクロック信号がＤＶＤドライブから制御部に出力されるため、受信部で受信される電波信号等にノイズが生じるという問題がある。
【０００４】
本発明の目的は、信号やデータが常時出力されることにより生じるノイズを低減することができる電子機器を提供することにある。
【課題を解決するための手段】
【０００５】
かかる目的を達成するために、本発明の電子機器は、記録媒体に記録されたデータを読み込み、出力するデータ読込手段と、前記データ読込手段から出力されるデータを受信し、受信されたデータに基づいて各種の制御を実行する制御手段と、前記記録媒体が前記データ読込手段に挿入されるまで、前記記録媒体に記録されたデータの前記制御手段への送信を遮断する遮断手段とを備える構成としている。
【０００６】
かかる構成によれば、信号やデータが常時出力されることにより生じるノイズを低減することができる。
【発明の効果】
【０００７】
本発明によれば、信号やデータが常時出力されることにより生じるノイズを低減することができる。
【発明を実施するための最良の形態】
【０００８】
以下、添付図面を参照しながら本発明の最良の実施の形態を説明する。
【０００９】
図１は、電子機器としての車載機器を含む車載システムの外観形状を示す図である。
【００１０】
図１に示すように車載システム１は、車両に搭載される車載機器１００（電子機器）と、ナビゲーション機能を備えたポータブル機器１０（携帯機器）とから構成される。ポータブル機器１０は、車載機器１００の前面部１２０に取り付けて使用でき、さらに車載機器１００から取り外して状態で単独で使用することができる。
【００１１】
車載機器１００は、ラジオ放送の再生機能や、ＣＤ（Compact Disk）及びＤＶＤ（Digital Versatile Disk）等の記録媒体に書き込まれた音楽データ及び動画像データの再生機能を有している。また、車載機器１００は、記録媒体の再生部や記録媒体の挿排口を有する本体部１１０と、表示部１３１や操作部１３２を有する前面部１２０とを備えている。
【００１２】
ポータブル機器１０は、目的地までの誘導経路を検索し、地図上に検索した誘導経路を重ねて表示するナビゲーションの機能を備えている。
【００１３】
図２は、前面部１２０を本体部１１０に対して傾斜させ、挿排口１８０を露出させた状態を示す図である。
【００１４】
不図示の駆動機構によって図２に示すスライダー１８１を駆動させることで、前面部１２０を本体部１１０に対してチルトさせることができる。チルト動作によって、本体部１１０に設けられた挿排口１８０を露出させ、記録媒体の挿排を行うことができる。車載機器１００の前面部１２０には、操作ボタン（具体的には、図５に示すチルト／イジェクトボタン１３２ａ）が設けられており、このボタンの操作に応じたチルト角度に設定することができる。
【００１５】
図３は、車載システム１の車両への搭載例を示す図である。
【００１６】
車載システム１は、例えば図３に示すように、運転席５２と助手席５１とのほぼ中央のダッシュボード部分に配置される。なお、図示していないが、後述するＧＰＳ情報受信部１３３のＧＰＳアンテナは、ダッシュボード上に配置されるか、又はフロントガラスの車室側に貼り付けられる。
【００１７】
図４は、車載システム１の概略構成を示すブロック図である。
【００１８】
車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を互いに接続することで、車載機器１００とポータブル機器１０との間で各種信号が送受信され、車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００１９】
車載機器１００は、表示部１３１、操作部１３２、ＧＰＳ情報受信部１３３、ラジオ受信部１３４、再生部１３５、音声調整部１３６、メモリ１３７、マイク１３８、外部音声／映像入力部１３９、制御部１４０及びコネクタ１５０を備えている。車載機器１００は、エンジンキーがＡｃｃ又はＩＧの位置にあるときに、車両側のバッテリから電力が供給されて動作する。
【００２０】
表示部１３１は、液晶パネルやバックライトを備え、受信放送周波数、再生楽曲トラックＮｏ、及び再生楽曲名等を表示する。
【００２１】
操作部１３２は、車載機器１００の動作モードを切り替える操作指示や、切り替えた各種モードでの操作指示を入力する。操作部１３２は、図５に示すように、前面部１２０をチルトさせるためのチルト／イジェクトボタン１３２ａ、再生対象のラジオの周波数帯域又は再生対象の記録媒体のトラック番号を切り替えるためのバンド／チューンボタン１３２ｂ、表示部１３１に表示されるタイトル等を切り替えるためのＴＥＸＴボタン１３２ｃ、表示部１１に表示される画像をナビゲーション画像及びＤＶＤの動画像のいずれかに切り替える又は音量を調整するためのＳＣＲＥＥＮボタン１３２ｄ、再生対象のソースの切替又は車載機器１００の電源のオン／オフを行うためのＳＯＵＲＣＥ／ＰＷＲボタン１３２ｅ、音質を制御するためのＣＯＮＴＲＯＬボタン１３２ｆ、及び音声をカットする又は表示部１１の表示を点灯／消灯するためのＭＵＴＥ／ＳＣＲＥＥＮＯＦＦボタン１３２ｇを備えている。
【００２２】
図４に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。
【００２３】
ラジオ受信部１３４は、アンテナとチューナ部とを有しており、ＡＭ放送、ＦＭ放送、多重放送等の放送波を受信して、音声データの出力、多重データの受信、復調を行い、復調信号を制御部１４０に出力する。
【００２４】
再生部１３５は、例えば、ＣＤやＤＶＤ等の記録媒体に記録された音声データや動画像データを読み取り可能なＣＤ／ＤＶＤドライブで構成されている。再生部１３５は、ＣＤやＤＶＤ等の記録媒体に記録された音声データや動画像データを読み取り、当該読み取られた音声データや動画像データを制御部１４０に出力する。
【００２５】
音声調整部１３６は、ラジオ受信部１３４で受信されて復調された音声データ、及び再生部１３５で再生された音声データに、音量調整や音質調整等の信号処理をしてスピーカ１４５に出力する。
【００２６】
メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。
【００２７】
外部音声／映像入力部１３９は、ＵＳＢメモリや、携帯型オーディオ装置等の外部機器との接続端子を備え、外部機器からの音声データを入力して制御部１４０に送り、制御部１４０からの制御信号や音声データ等を接続した外部機器に出力する。
【００２８】
制御部１４０は、キャッシュメモリを有するマイコンで構成されており、操作部１３２の操作に従って、ラジオ受信部１３４、再生部１３５、及び音声調整部部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声データを、コネクタ１５０を介してポータブル機器１０に出力する。なお、マイク１３８で入力された音声データを、制御部１４０を介さずに、コネクタ１５０を介してポータブル機器１０に出力してもよい。
【００２９】
また、制御部１４０は、ポータブル機器１０の表示部１１に表示される、各種モードのメニュー画像に対する操作信号をポータブル機器１０の制御部２０から取得し、ラジオ受信部１３４や再生部１３５の制御を行う。
【００３０】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車載機器１００に車速パルスが入力されない構成であってもよい。
【００３１】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、及びコネクタ３０を備えている。
【００３２】
表示部１１は、液晶パネルとバックライトとを備え、ナビゲーション部１９で生成された地図情報や目的地までの誘導経路情報、並びに車載機器１００から転送された受信放送周波数、再生楽曲トラックＮｏ、及び再生楽曲名等を表示することができる。また、表示部１１は、車載機器１００を介して外部機器２００から入力された動画像データを表示する。
【００３３】
なお、表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００３４】
操作部１２は、タッチパネルや、ポータブル機器１０の電源をオン、オフするための電源ボタンを含む。タッチパネルは、例えば、表示部１１の表示画面の上に配置されるものであり、指や専用のペンによりタッチパネルが接触されると、その接触された位置が検知されて、入力操作の有無が判別できるようになっている。
【００３５】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載装置１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００３６】
スピーカ１４は、ナビゲーション部１９からの音声情報を出力するためのものであり、ポータブル機器１０が車載機器１００から取り外された状態、つまり単体で使用されるときに、音声情報を出力する。
【００３７】
蓄電池１５は、ポータブル機器１０が車載機器１００から取り外された状態では、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６は不図示のＵＳＢスロットを介して接続端末から電力の供給を受けて、蓄電池１５を充電することができる。
【００３８】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００３９】
メモリ１８は、例えば、読み出しと書き込みとが可能なＲＡＭであり、各制御のために読み出された情報を一時的に記憶しておく。
【００４０】
ナビゲーション部１９は、ナビゲーションのために利用される地図情報を記憶したＳＤ（Ｓｅｃｕｒｅ  Ｄｉｇｉｔａｌ）カードやＵＳＢメモリから取得し、記憶する地図情報記憶部を備え、ＧＰＳ情報受信部１３３、又は１３からのＧＰＳ信号によって現在位置情報を割り出し、ナビゲーションのための地図画像を作成する。作成した地図画像は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持していてもよい。
【００４１】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。
【００４２】
また、制御部２０は、車載機器１００のマイク１３８で入力した音声データを車載機器１００の制御部１４０から取得し、取得した音声データに応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。
【００４３】
また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４や再生部１３５を制御する。
【００４４】
図６（Ａ），（Ｂ）は、車載機器１００内の制御部１４０と再生部１３５の接続関係を示すブロック図である。
【００４５】
図６（Ａ），（Ｂ）に示すように、ＣＤ及びＤＶＤの再生が可能なＣＤ／ＤＶＤドライブで構成される再生部１３５は、コネクタ１３５ａを備えている。コネクタ１３５ａは、ＣＤ又はＤＶＤが再生部１３５に挿入されたか否かを示すSPACE信号を制御部１４０に出力する端子１３５ｂ、ＣＤ又はＤＶＤに書き込まれたデータを読み込むタイミングを知らせるTBCK信号を制御部１４０に出力する端子１３５ｃ、及びＣＤ又はＤＶＤに書き込まれたデータをTSD0信号及びTWS信号として制御部１４０に出力する端子１３５ｄ，１３５ｅを備えている。
【００４６】
SPACE信号は、ＣＤ又はＤＶＤが再生部１３５に挿入されていないと、ローレベル状態であり、ＣＤ又はＤＶＤが再生部１３５に挿入されると、ローレベル状態からハイレベル状態に移行する。
【００４７】
また、基板１０１上には、制御部１４０、ラジオ受信部１３４、及び遮断部１８０が設けられている。遮断部１８０は、ローレベルのSPACE信号を受信すると、TBCK信号、TSD0信号及びTWS信号の制御部１４０への送信を遮断するが、ハイレベルのSPACE信号を受信すると、TBCK信号、TSD0信号及びTWS信号は制御部１４０へ送信される。また、遮断部１８０は、再生部１３５のコネクタ１３５ａに近接し、かつ基板１０１の端部に配置されている。これは、端子１３５ｂ〜１３５ｅから遮断部１８０に流れるSPACE信号、TBCK信号、TSD0信号及びTWS信号により、ラジオ受信部１３４で受信される電波信号へのノイズを低減するためである。
【００４８】
図６（Ａ）では、遮断部１８０は、ＡＮＤ回路１８１ａ〜１８１ｃを含む。ＡＮＤ回路１８１ａ〜１８１ｃの入力端の一方は端子１３５ｂに接続されている。ＡＮＤ回路１８１ａの入力端の他方は端子１３５ｃに、ＡＮＤ回路１８１ｂの入力端の他方は端子１３５ｄに、及びＡＮＤ回路１８１ｃの入力端の他方は端子１３５ｅにそれぞれ接続されている。ＡＮＤ回路１８１ａ〜１８１ｃの出力端は、配線１８５を介して制御部１４０に接続されている。
【００４９】
ＣＤ又はＤＶＤが再生部１３５に挿入されると、ハイレベルのSPACE信号が端子１３５ｂからＡＮＤ回路１８１ａ〜１８１ｃに出力される。これにより、端子１３５ｃ〜ｅから出力されるTBCK信号、TSD0信号及びTWS信号は、それぞれＡＮＤ回路１８１ａ〜１８１ｃを介して制御部１４０に入力される。このように、ＣＤ又はＤＶＤが再生部１３５に挿入されたことを示すハイレベルのSPACE信号が遮断部１８０に入力されるまで、遮断部１８０のＡＮＤ回路１８１ａ〜１８１ｃは、TBCK信号、TSD0信号及びTWS信号の制御部１４０への送信を遮断するので、信号が常時出力されることにより生じるノイズ（即ち、ラジオ受信部１３４で受信される電波信号へのノイズ）を低減することができる。
【００５０】
一方、図６（Ｂ）では、遮断部１８０は、３つのスイッチング回路１８２ａ〜１８２ｃを含む。スイッチング回路１８２ａ〜１８２ｃの一端は制御部１４０に接続され、他端は端子１３５ｃ〜ｅに接続されている。また、端子１３５ｂから出力されるSPACE信号は、スイッチング回路１８２ａ〜１８２ｃに入力される。
【００５１】
ＣＤ又はＤＶＤが再生部１３５に挿入されると、ハイレベルのSPACE信号がスイッチング回路１８２ａ〜１８２ｃに出力される。これにより、スイッチング回路１８２ａ〜１８２ｃはＯＮ状態になり、端子１３５ｃ〜ｅから出力されるTBCK信号、TSD0信号及びTWS信号は、それぞれスイッチング回路１８２ａ〜１８２ｃを介して制御部１４０に入力される。
【００５２】
このように、ＣＤ又はＤＶＤが再生部１３５に挿入されたことを示すハイレベルのSPACE信号が遮断部１８０に入力されるまで、遮断部１８０のスイッチング回路１８２ａ〜１８２ｃは、TBCK信号、TSD0信号及びTWS信号の制御部１４０への送信を遮断するので、信号が常時出力されることにより生じるノイズ（即ち、ラジオ受信部１３４で受信される電波信号へのノイズ）を低減することができる。
【００５３】
図７は、実際に、図６（Ａ）の遮断部１８０が基板１０１上に配置されている場合と配置されていない場合の電波信号へのノイズを検査した例を示す図である。
【００５４】
図７に示すように、ラジオ受信部１３４の全ての受信周波数で、遮断部１８０が基板１０１上に配置されている場合は、遮断部１８０が基板１０１上に配置されていない場合と比べて、電波信号へのノイズが低減されている。
【００５５】
以上詳細に説明したように、本実施の形態によれば、車載機器１００は、ＣＤ又はＤＶＤに記録されたデータ（即ち、TBCK信号、TSD0信号及びTWS信号）を読み込み、出力する再生部１３５と、再生部１３５から出力されるデータ（即ち、TBCK信号、TSD0信号及びTWS信号）を受信し、受信されたデータに基づいて各種の制御を実行する制御部１４０と、ＣＤ又はＤＶＤが再生部１３５に挿入されるまで、ＣＤ又はＤＶＤに記録されたデータの制御部１４０への送信を遮断する遮断部１８０とを備えている。よって、信号やデータが常時出力されることにより生じるノイズを低減することができる。
【００５６】
また、再生部１３５はデータ及び信号を出力するコネクタ１３５ａを備え、遮断部１８０及び制御部１４０は基板１０１上に設けられており、遮断部１８０は、コネクタ１３５ａに近接する、基板１０１の端部に配置されている。よって、端子１３５ｂ〜１３５ｅから遮断部１８０に流れるSPACE信号、TBCK信号、TSD0信号及びTWS信号により、ラジオ受信部１３４で受信される電波信号へのノイズを低減することができる。
【００５７】
さらに、遮断部１８０は、ＣＤ又はＤＶＤが再生部１３５に挿入されたことを示す信号（即ち、ハイレベルのSPACE信号）の入力によりＣＤ又はＤＶＤに記録されたデータの制御部１４０への送信を開始するスイッチング回路１８２ａ〜１８２ｃ又はＡＮＤ回路１８１ａ〜１８１ｃで構成されている。よって、ユーザがＣＤ又はＤＶＤを再生部１３５に挿入することにより、自動的にＣＤ又はＤＶＤに記録されたデータの制御部１４０への送信を開始することができる。
【００５８】
また、車載機器１００は、ポータブル機器１０が着脱可能な車載用オーディオ装置であるので、車内で再生される音声へのノイズを低減することができる。
【００５９】
上記実施の形態では、電子機器の例として車載機器１００を使用したが、本発明はこれに限定されるものではない。例えば、本発明に係る電子機器は、ＤＶＤドライブ又はＣＤドライブ等を備えるコンピュータ、レコーダ、オーディオ装置（車載用オーディオ装置を含む）、ナビゲーション装置（車載用ナビゲーション装置を含む）等であってもよい。
【００６０】
車載機器１００の機能を実現するためのソフトウェアのプログラムが記録されている記録媒体を、車載機器１００に供給し、制御部１４０が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００６１】
また、車載機器１００の制御部１４０が、それぞれ車載機器１００の機能を実現するためのソフトウェアのプログラムを実行することによっても、上記実施の形態と同様の効果を奏する。
【００６２】
尚、本発明は、上述した実施の形態に限定されるものではなく、その要旨を逸脱しない範囲内で種々変形して実施することが可能である。
【図面の簡単な説明】
【００６３】
【図１】電子機器としての車載機器を含む車載システムの外観形状を示す図である。
【図２】前面部を本体部に対して傾斜させ、挿排口を露出させた状態を示す図である。
【図３】車載システムの車両への搭載例を示す図である。
【図４】車載システムの概略構成を示すブロック図である。
【図５】車載機器の前面部の構成を示す図である。
【図６】（Ａ），（Ｂ）は、車載機器内の制御部と再生部の接続関係を示すブロック図である。
【図７】図６（Ａ）の遮断部が基板上に配置されている場合と配置されていない場合の電波信号へのノイズを検査した例を示す図である。
【符号の説明】
【００６４】
１  車載システム
１０  ポータブル機器
１１，１３１  表示部
１２，１３２  操作部
１３，１３３  ＧＰＳ情報受信部
１４，１４５  スピーカ
１５  蓄電池
１６  充電回路
１７  無線通信送受信部
１８，１３７  メモリ
１９  ナビゲーション部
２０，１４０  制御部
３０，１５０  コネクタ
１００  車載機器
１０１  基板
１１０  本体部
１２０  前面部
１３４  ラジオ受信部
１３５  再生部
１３５ａ  コネクタ
１３５ｂ〜ｅ  端子
１３６  音声調整部
１３９  外部音声／映像入力部
１８０  遮断部
１８１ａ〜ｃ  ＡＮＤ回路
１８２ａ〜ｃ  スイッチング回路
【図１】
2009252332.tif 000003
【図２】
2009252332.tif 000004
【図３】
2009252332.tif 000005
【図４】
2009252332.tif 000006
【図５】
2009252332.tif 000007
【図６】
2009252332.tif 000008
【図７】
2009252332.tif 000009